(57)【特許請求の範囲】
【請求項１】
左右の縦框と鏡板とから構成される扉であって、左右の縦框の内側に向かい合う木口面に各々一本の連続した鏡板嵌入溝が該縦框の全長に亘って延長形成され、鏡板嵌入溝の延長方向における中間部分の任意箇所には少なくとも一の溝幅増大部分が設けられ、鏡板嵌入溝に複数枚の鏡板の縁部を嵌入し、且つ、前記溝幅増大部分において鏡板同士を部分的に重ね合わせた状態にして配置固定してなることを特徴とする扉。
【請求項２】
前記左右の縦枠が平面視略Ｌ字形を有するように形成され、これら縦框の内木口面に略Ｌ字形に折れ曲がって延長形成された鏡板嵌入溝の該折れ曲がり部分に前記溝幅増大部分が形成されており、該溝幅増大部分において二枚の鏡板の角部同士を重ね合わせてその一方の鏡板の角部が扉の一面側に露出し、他方の鏡板の角部が扉の他面側に露出するように設けられてなることを特徴とする請求項１記載の扉。
【請求項３】
鏡板が透光性を有する材料で形成されたものであることを特徴とする請求項１または２記載の扉。
【発明の詳細な説明】
【技術分野】
【０００１】
本発明は、複数枚の鏡板を有する扉に関する。本発明の扉は、建物のドア、引戸、家具の扉等に適用されるものである。
【背景技術】
【０００２】
複数枚の鏡板を有する扉としては、下記特許文献１に、上下左右の框および／または桟で囲まれた矩形空間に鏡板を取り付けた構成のものが知られている。この従来技術では、各矩形空間に取り付けられる鏡板は表裏２枚の透明または不透明の平板である。
【特許文献１】特開２００６−８９９６５号公報
【発明の概要】
【発明が解決しようとする課題】
【０００３】
特許文献１に示されるように、扉において複数枚の鏡板を取り付ける場合であっても、各鏡板の四周を框／桟で囲うことによって鏡板を固定する構成が採用されており、框内の鏡板を互いに部分的にずらした状態で固定する構成や、左右または上下の一対の框材のみで鏡板を固定する構成の扉は知られていない。
【０００４】
したがって、本発明が解決しようとする課題は、左右一対の框材で複数の鏡板を互いに部分的にずらした状態で固定した構成を有することで立体感を表現することができる扉を提供することである。
【課題を解決するための手段】
【０００５】
上記の課題を達成するため、請求項１に係る本発明は、左右の縦框と鏡板とから構成される扉であって、左右の縦框の内側に向かい合う木口面に各々一本の連続した鏡板嵌入溝が該縦框の全長に亘って延長形成され、鏡板嵌入溝の延長方向における中間部分の任意箇所には少なくとも一の溝幅増大部分が設けられ、鏡板嵌入溝に複数枚の鏡板の縁部を嵌入し、且つ、前記溝幅増大部分において鏡板同士を部分的に重ね合わせた状態にして配置固定してなることを特徴とする扉である。
【０００６】
請求項２に係る本発明は、請求項１記載の扉において、前記左右の縦枠が平面視略Ｌ字形を有するように形成され、これら縦框の内木口面に略Ｌ字形に折れ曲がって延長形成された鏡板嵌入溝の該折れ曲がり部分に前記溝幅増大部分が形成されており、該溝幅増大部分において二枚の鏡板の角部同士を重ね合わせてその一方の鏡板の角部が扉の一面側に露出し、他方の鏡板の角部が扉の他面側に露出するように設けられてなることを特徴とする。
【０００７】
請求項３に係る本発明は、請求項１または２記載の扉において、鏡板が透光性を有する材料で形成されたものであることを特徴とする。
【発明の効果】
【０００８】
本発明の扉は、左右一対の縦框の向かい合う木口面に各々鏡板嵌入溝が該縦框の全長に亘って延長形成され、鏡板嵌入溝の延長方向における中間部分には少なくとも一の溝幅増大部分が設けられ、鏡板嵌入溝に複数枚の鏡板の左右縁部を嵌入し、且つ、前記溝幅増大部分において鏡板同士を部分的に重ね合わせた状態にして配置固定してなるので、鏡板が一枚の鏡板として観察される部分と重ね合わされた複数枚の鏡板として観察される部分とが形成され、従来の扉にはない立体感を表現することができる。
【０００９】
特に、透光性を有する材料で形成された鏡板を用いることで、扉内に透光性の異なる部分が形成され、立体感がより強調的に表現される。
【図面の簡単な説明】
【００１０】
【図１】本発明の実施例１による扉の正面図である。
【図２】この扉の図１Ａ−Ａ’断面図である。
【図３】この扉の右縦框の内側面図（ａ）およびそのＢ−Ｂ’部分拡大図（ｂ）である。
【図４】この扉の斜視図である。
【図５】本発明の実施例２による扉の正面図である。
【図６】本発明の実施例３による扉の正面図である。
【図７】この扉の図６Ａ−Ａ’断面図である。
【図８】この扉の右縦框の内側面図（ａ）およびそのＢ−Ｂ’部分拡大図（ｂ）である。
【図９】この扉の斜視図である。
【図１０】本発明の実施例４による扉の正面図である。
【図１１】この扉の図１０Ａ−Ａ’断面図である。
【図１２】この扉の左縦框の内側面図（ａ）およびそのＢ−Ｂ’部分拡大図（ｂ）である。
【図１３】この扉の右縦框の内側面図（ａ）およびそのＣ−Ｃ’部分拡大図（ｂ）である。
【図１４】この扉における上下の透光板の重なり具合を示す全体正面図（ａ）および該重なり部分を示す拡大正面図（ｂ）である。
【図１５】この扉の斜視図である。
【発明を実施するための形態】
【００１１】
本発明の扉における縦框は、合板、木質繊維板、パーティクルボード等の木質材で構成され、フラッシュドアと同様に芯材を組み付けたフレームに面材を貼った構造でも良く、あるいは積層材、集成材、無垢材などの中実の木質材で構成されたものであっても良い。縦框の表面（面材）や木口の一部表面には、必要に応じて化粧紙、化粧合成樹脂含浸紙、化粧合成樹脂シート等の化粧材が貼着され、あるいは塗装が施されることによって任意化粧が施される。
【００１２】
縦框の形状は正面視で矩形状や略Ｌ字形状などの任意形状とすることができる。矩形状に形成される縦框は、例として、上下の横框であれば幅（扉の高さ方向の寸法）１５０〜１９５０ｍｍ、長さ（扉の幅方向の寸法）５０〜９００ｍｍ、厚さ３０〜４０ｍｍであり、左右の縦框であれば長さ（扉の高さ方向の寸法）１６００〜２４００ｍｍ、幅（扉の幅方向の寸法）１００〜７５０ｍｍ、厚さ３０〜４０ｍｍである。縦框の幅寸法は同一であっても異なるものであっても良い。幅寸法を異ならせることによって扉内の鏡板の位置を変えることができるので、たとえば左右一対の縦框の幅を等しくして鏡板を中央に配置するようにしても良いし、異なる幅にして鏡板を左右いずれか寄りに配置することもできる。
【００１３】
略Ｌ字形状に形成される縦框は、扉に持たせるべき所望の意匠性によってその寸法を変化させることができるが、例として、左右の縦框において扉高さとなる長尺部分が長さ１６００〜２４００ｍｍ、幅１００〜７００ｍｍであり、扉中央側に突出する短尺部分が高さ方向寸法５００〜１０００ｍｍ、幅５０〜６５０ｍｍであって、厚さは長尺部分および短尺部分のいずれにおいても３０〜４０ｍｍ程度である。
【００１４】
本発明の扉では、一対の縦框の向かい合う木口面には各々鏡板嵌入溝の縁部が嵌入される鏡板嵌入溝が該縦框の全長に亘って延長形成される。鏡板嵌入溝の寸法は鏡板によって異なるが、例として深さ３０〜５０ｍｍ、幅（縦框の厚さ方向の寸法）４〜８ｍｍである。
【００１５】
鏡板嵌入溝の延長方向における中間部分の任意箇所には少なくとも一の溝幅増大部分が設けられ、この溝幅増大部分において上下または左右に隣接する２枚またはそれ以上の鏡板同士が部分的に重ね合わせた状態とされる。溝幅増大部分が設けられる箇所は鏡板嵌入溝の延長方向における中間部分、すなわち鏡板嵌入溝が設けられる縦框の両端部を除く任意箇所であり、延長方向の略中央部であっても良いし、いずれかの端部に寄った箇所であっても良い。また、溝幅増大部分は鏡板嵌入溝の延長方向において複数箇所に設けられても良い。
【００１６】
鏡板は、合板、木質繊維板、単板積層材、パーティクルボード、ストランドボード等の木質材、アルミ等の金属材等であって良く、あるいは硝子、合成樹脂（特にアクリル板）等の透光性を有する材料からなるものであっても良い。鏡板の表面には、必要に応じて化粧紙、化粧合成樹脂含浸紙、化粧合成樹脂シート等の化粧材が貼着されることによって任意化粧が施される。
【００１７】
鏡板の寸法は扉の意匠性に応じて任意選択することができるが、例として、高さ３００〜２４００ｍｍ、幅５０〜７００ｍｍ、厚さ４〜８ｍｍ程度であり、鏡板を縦框に嵌合して得られる扉の全体幅は５００〜９００ｍｍ程度である。
【００１８】
鏡板を縦框木口の鏡板嵌入溝に嵌入固定する方法は任意である。たとえば、鏡板嵌入溝に嵌入される鏡板の木口面にダボ穴を形成すると共に鏡板嵌入溝内の対応する位置にもダボ穴を形成しておいて、これらダボ穴にダボを挿入して固定する方法や、縦框の鏡板嵌入溝に鏡板を嵌入した状態にして扉の上下部に縦框と鏡板との嵌合部を覆う金具によって固定する方法、縦框の鏡板嵌入溝に板バネのような押圧部材を介在させて鏡板を挟持固定する方法等を採用することができる。
【実施例１】
【００１９】
図１〜図４を参照して本発明の実施例１による扉１０について説明する。この扉１０は、左右一対の平面視矩形状の縦框１１，１２の各内木口面に嵌入溝１３，１４を扉１０の高さ方向に亘って延長形成し、これら嵌入溝１３，１４に２枚の平面視矩形状の透光板１５，１６の左右縁部を嵌合し、且つ、これらを扉１０の高さ方向中央部において高さ方向にずらしながら部分的に重ね合わせた状態にして配置固定することにより構成されている。左右縦框１１，１２は同一寸法であり、高さ１９９２ｍｍ、幅２４０ｍｍ、厚さ３３ｍｍである。２枚の透光板１５，１６も同一寸法であり、高さ１１９２ｍｍ、幅２１０ｍｍ、厚さ８ｍｍであって、上方透光板１５の下端部と下方透光板１６の上端部が高さ３９２ｍｍに亘って重ね合わされた状態となっている。
【００２０】
嵌入溝１３，１４は同一形状・寸法であるので以下右縦框１２の内木口面に形成された嵌入溝１４について説明すると、この嵌入溝１４は、扉１０の右縦框１２の木口厚さ方向中心を境にして扉１０の裏面側において縦框木口上端から垂直に下方に向けて上方透光板１５の高さ寸法（１１９２ｍｍ）と同一の長さだけ延長形成された上方嵌入溝１４ａと、扉１０の縦框木口厚さ方向中心を境にして扉１０の表面側において縦框木口下端から垂直に上方に向けて下方透光板１５の高さ寸法（１１９２ｍｍ）と同一の長さだけ延長形成された下方嵌入溝１４ｂとを有しており、これら上方嵌入溝１４ａと下方嵌入溝１４ｂは高さ方向中央部において高さ３９２ｍｍに亘って縦框木口厚さ方向に連続する溝幅増大部分１４ｃを形成している。
【００２１】
上方嵌入溝１４ａには上方透光板１５の側縁部が嵌入され、下方嵌入溝１４ｂには下方透光板１６の側縁部が嵌入されるので、これらの溝幅はいずれも透光板１５，１６の厚さと同一の８ｍｍとされている。溝幅増大部分１４ｃには上方透光板１５の下端部と下方透光板１６の上端部の重なり合った部分が嵌入されるので、２枚分の厚さに対応する１６ｍｍの溝幅を有する。したがって、左右縦框１１，１２の嵌入溝１３，１４にそれぞれ上方透光板１５および下方透光板１６の左右側縁部を嵌入して固定することにより、正面視にて、上方透光板１５が単独で作る透光部Ａと、下方透光板１６が単独で作る透光部Ｂと、上方透光板１５と下方透光板１６とが重なり合って作る透光部Ｃとが観察されることになる（図１）。
【００２２】
なお、この扉１０の製造に際しては、左右縦框１１，１２の各内木口面に形成される嵌入溝１３，１４の内部と、透光板１５，１６の左右木口面のそれぞれ対応した高さ位置にダボ穴を形成しておき、これらダボ穴にダボを挿入して接着剤で固定する方法を採用することができる。
【実施例２】
【００２３】
図５には実施例１の変形例としての実施例２による扉１０’が示されている。この扉１０’は実施例１の扉１０と略同様の構成を有するが、２枚の透光板について、上方透光板１５’の下端および下方透光板１６’の上端を斜めに切断した形状を有するものに変更した実施例である。この実施例では上方透光板１５’および下方透光板１６’のいずれについても長手方向に延長する左右側縁部の長さが異なることになるので、左右縦框１１’，１２’の各内木口面に形成される嵌入溝（図示せず）は、嵌入される上方透光板１５’，下方透光板１６’の側縁部の長さに応じて上方嵌入溝，下方嵌入溝の延長長さが異なるものとして形成される。
【００２４】
上記以外については実施例１の扉１０と同様であるので説明を省略する。
【実施例３】
【００２５】
図６〜図９を参照して本発明の実施例３による扉２０について説明する。この扉２０は、左右一対の平面視矩形状の縦框２１，２２の各内木口面に嵌入溝２３，２４を扉２０の高さ方向に亘って延長形成し、これら嵌入溝２３，２４に３枚の平面視矩形状の透光板２５，２６，２７の左右縁部を嵌合し、且つ、これらを扉２０の高さ方向中央部において高さ方向にずらしながら部分的に重ね合わせた状態にして配置固定することにより構成されている。左右縦框２１，２２は同一寸法であり、高さ１９９２ｍｍ、幅２４０ｍｍ、厚さ３３ｍｍである。３枚の透光板２５，２６，２７はいずれも幅２１０ｍｍ、厚さ８ｍｍであるが、上方透光板２５および下方透光板２６は高さ寸法も同一で８５８ｍｍであるが、中央透光板２７の高さ寸法は５１２ｍｍである。
【００２６】
嵌入溝２３，２４は同一形状・寸法であるので以下右縦框２２の内木口面に形成された嵌入溝２４について説明すると、この嵌入溝２４は、扉２０の右縦框２２の木口厚さ方向中心を境にして扉２０の裏面側において縦框木口上下端から垂直に下方および上方に向けて上方透光板２５および下方透光板２６の高さ寸法（８５８ｍｍ）と同一の長さだけ延長形成された上方嵌入溝２４ａおよび下方嵌入溝２４ｂと、扉２０の縦框木口厚さ方向中心を境にして扉２０の表面側において縦框木口中央部に垂直に中央透光板２７の高さ寸法（５１２ｍｍ）と同一の長さだけ延長形成された中央嵌入溝２４ｃとを有しており、上方嵌入溝２４ａの下端部と中央嵌入溝２４ｃの下端部並びに下方嵌入溝２４ｂの上端部と中央嵌入溝２４ｃの下端部とは、それぞれ高さ１１８ｍｍに亘って縦框木口厚さ方向に連続する溝幅増大部分２４ｄ，２４ｅを形成している。
【００２７】
上方嵌入溝２４ａには上方透光板２５の側縁部が嵌入され、下方嵌入溝２４ｂには下方透光板２６の側縁部が嵌入され、中央嵌入溝２４ｃには中央透光板２７が嵌入されるので、これらの溝幅はいずれも透光板２５，２６，２７の厚さと同一の８ｍｍとされている。溝幅増大部分２４ｄには上方透光板２５の下端部と中央透光板２７の上端部の重なり合った部分が嵌入され、溝幅増大部分２４ｅには下方透光板１６の上端部と中央透光板２７の下端部の重なり合った部分が嵌入されるので、いずれも透光板２枚分の厚さに対応する１６ｍｍの溝幅を有する。したがって、左右縦框２１，２２の嵌入溝２３，２４にそれぞれ上方透光板２５、下方透光板２６および中央透光板２７の左右側縁部を嵌入して固定することにより、正面視にて、上方透光板２５が単独で作る透光部Ａと、下方透光板２６が単独で作る透光部Ｂと、中央透光板２７が単独で作る透光部Ｃと、上方透光板２５と中央透光板２７とが重なり合って作る透光部Ｄと、下方透光板２６と中央透光板２７とが重なり合って作る透光部Ｅとが観察されることになる（図６）。
【００２８】
なお、この扉２０の製造に際しても実施例１で既述したと同様の方法を採用することができる。
【実施例４】
【００２９】
図１０〜図１５を参照して本発明の実施例５による扉４０について説明する。この扉４０は、左右一対の平面視略Ｌ字形状を有する縦框４１，４２の各内木口面に嵌入溝４３，４４を扉４０の高さ方向に亘って延長形成し、これら嵌入溝４３，４４に２枚の平面視矩形状の透光板４５，４６の左右縁部を嵌合し、且つ、これらを扉４０の高さ方向中央部において高さ方向および幅方向にずらしながら部分的に重ね合わせた状態にして配置固定することにより構成されている。左縦框４１は全体高さが１９９２ｍｍ、厚さ３３ｍｍであり、幅の狭い上方部分４１ａが高さ１１６２ｍｍ、幅２２０ｍｍ、幅の広い下方部分４１ｂが高さ８３０ｍｍ、幅３２８ｍｍである。右縦框４２は全体高さが１９９２ｍｍ、厚さ３３ｍｍであって左縦框４１と同一であるが、幅の広い上方部分４２ａが高さ９８２ｍｍ、幅３２８ｍｍ、幅の狭い下方部分４２ｂが高さ１０１０ｍｍ、幅２２０ｍｍである。左右縦框４１，４２はこのように略Ｌ字形に構成されたものを上下左右反転させて向かい合わせた状態で配置されている。
【００３０】
２枚の透光板４５，４６はいずれも厚さ８ｍｍ、幅２１０ｍｍであるが、高さについては上方透光板４５が１１９２ｍｍ、下方透光板４６が１０４０ｍｍと異なっている。そして、上方透光板４５の下端角部と下方透光板４６の上端角部が高さ方向および幅方向にずらしながら平面視矩形状に重ね合わされた状態となっていて、扉４０の表面側（図１）には下方透光板４６の上端角部が露出、裏面側には上方透光板４５の下端角部が露出している。
【００３１】
左縦框４１の内木口面に形成される嵌入溝４３は、左縦框４１の木口厚さ方向中心を境にして扉４０の裏面側において縦框木口上端から垂直に下方に向けて上方透光板４５の高さ寸法（１１９２ｍｍ）と同一の長さだけ延長形成された上方嵌入溝４３ａと、扉４０の縦框木口厚さ方向中心を境にして扉４０の表面側において縦框木口下端から垂直に上方に向けて左縦框下方部分４１ｂの高さ寸法（８３０ｍｍ）と同一の長さだけ延長形成された下方嵌入溝４３ｂとを有しており、これら上方嵌入溝４３ａと下方嵌入溝４３ｂは高さ方向中央部において高さ３０ｍｍに亘って縦框木口厚さ方向に連続する溝幅増大部分４３ｃを形成している（図１２）。すなわち、嵌入溝４３は、左縦框４１の平面視略Ｌ字形状に対応してその内木口面に平面視にて折り曲げられた状態で縦框木口上端から下端まで延長しており、該折れ曲がり部分において水平に延長する溝幅増大部分４３ｃが設けられている。
【００３２】
同様に、右縦框４２の内木口面に形成される嵌入溝４４は、右縦框４２の木口厚さ方向中心を境にして扉４０の裏面側において縦框木口上端から垂直に下方に向けて右縦框上方部分４２ａの高さ寸法（９８２ｍｍ）と同一の長さだけ延長形成された上方嵌入溝４４ａと、扉４０の縦框木口厚さ方向中心を境にして扉４０の表面側において縦框木口下端から垂直に上方に向けて下方透光板４５の高さ寸法（１０４０ｍｍ）と同一の長さだけ延長形成された下方嵌入溝４４ｂとを有しており、これら上方嵌入溝４４ａと下方嵌入溝４４ｂは高さ方向中央部において高さ３０ｍｍに亘って縦框木口厚さ方向に連続する溝幅増大部分４４ｃを形成している（図１３）。すなわち、嵌入溝４４は、右縦框４２の平面視略Ｌ字形状に対応してその内木口面に平面視にて折り曲げられた状態で縦框木口上端から下端まで延長しており、該折れ曲がり部分において水平に延長する溝幅増大部分４４ｃが設けられている。
【００３３】
上方嵌入溝４３ａ，４４ａには上方透光板４５の側縁部が嵌入され、下方嵌入溝４３ｂ，４４ｂには下方透光板４６の側縁部が嵌入される（なお、左縦框４１の下方嵌入溝４３ｂには下方透光板４６の左側縁部のみが嵌入され、右縦框４２の上方嵌入溝４４ａには上方透光板４５の右側縁部のみが嵌入されるが、左縦框４１の上方嵌入溝４３ａは下方部分４１ｂの上端縁に沿っても露出するのでこの部分に上方透光板４５の下端が嵌入され、右縦框４２の下方嵌入溝４４ｂは上方部分４２ａの下端縁に沿っても露出するのでこの部分に下方透光板４６の上端が嵌入されることになる）ので、これらの溝幅はいずれも透光板４５，４６の厚さと同一の８ｍｍとされている。溝幅増大部分４３ｃ，４４ｃには上方透光板４５の下端部と下方透光板４６の上端部の重なり合った部分が嵌入されるので、２枚分の厚さに対応する１６ｍｍの溝幅を有する。したがって、左右縦框４１，４２の嵌入溝４３，４４にそれぞれ上方透光板４５および下方透光板４６の側縁部を嵌入して固定することにより、正面視にて、上方透光板４５が単独で作る透光部Ａと、下方透光板４６が単独で作る透光部Ｂと、上方透光板４５と下方透光板４６とが高さ方向および幅方向にずれながら重なり合って作る透光部Ｃとが観察されることになる（図１４）。図１４において、縦框に隠れて見えない上方透光板の側縁は点線で示され、下方透光板の側縁は一点鎖線で示されている。
【００３４】
なお、この扉４０の製造に際しても、左右縦框４１，４２の各内木口面に形成される嵌入溝４３，４４の内部と、透光板４５，４６の左右木口面のそれぞれ対応した高さ位置にダボ穴を形成しておき、これらダボ穴にダボを挿入して接着剤で固定する方法を採用することができる。
【符号の説明】
【００３５】
１０、１０’ 扉
１１，１１’ 左縦框
１２，１２’ 右縦框
１３，１４ 鏡板嵌入溝
１４ａ 上方嵌入溝
１４ｂ 下方嵌入溝
１４ｃ 溝幅増大部分
１５，１５’ 上方透光板（鏡板）
１６，１６’ 下方透光板（鏡板）
２０ 扉
２１ 左縦框
２２ 右縦框
２３，２４ 鏡板嵌入溝
２４ａ 上方嵌入溝
２４ｂ 下方嵌入溝
２４ｃ 中央嵌入溝
２４ｄ，２４ｅ 溝幅増大部分
２５ 上方透光板（鏡板）
２６ 下方透光板（鏡板）
２７ 中央透光板（鏡板）
３０ 扉
３１ 左縦框
３２ 右縦框
３３ 上框
３４ 下框
３４ａ，３４ｂ 凸条
３５，３６ 鏡板嵌入溝
３６ａ 上方嵌入溝
３６ｂ 下方嵌入溝
３６ｃ 中央嵌入溝
３６ｄ，３６ｅ 溝幅増大部分
３７ 上方透光板（鏡板）
３８ 下方透光板（鏡板）
３９ 中央透光板（鏡板
４０ 扉
４１ 左縦框
４２ 右縦框
４３，４４ 鏡板嵌入溝
４３ａ，４４ａ 上方嵌入溝
４３ｂ，４４ｂ 下方嵌入溝
４３ｃ，４４ｃ 溝幅増大部分
４５ 上方透光板（鏡板）
４６ 下方透光板（鏡板）
Ａ，Ｂ，Ｃ，Ｄ，Ｅ 透光部
【図１】
0005432491.tif 000002
【図２】
0005432491.tif 000003
【図３】
0005432491.tif 000004
【図４】
0005432491.tif 000005
【図５】
0005432491.tif 000006
【図６】
0005432491.tif 000007
【図７】
0005432491.tif 000008
【図８】
0005432491.tif 000009
【図９】
0005432491.tif 000010
【図１０】
0005432491.tif 000011
【図１１】
0005432491.tif 000012
【図１２】
0005432491.tif 000013
【図１３】
0005432491.tif 000014
【図１４】
0005432491.tif 000015
【図１５】
0005432491.tif 000016